(57)【特許請求の範囲】
【請求項１】
基地局と移動局とを含み、前記基地局と前記移動局との間に複数のパケットチャネルが設定され前記移動局から前記基地局へランダムアクセスによる信号伝送を行うパケット移動通信システムであって、前記移動局は、同時にランダムアクセスを許容するユーザパケットチャネル数を決定する同時送信チャネル数制御手段と、前記同時送信チャネル数制御手段において決定されたユーザパケットチャネル数の範囲内で信号毎にランダムアクセスを行うユーザパケットチャネル及びアクセス開始タイミングを選択する送信チャネル選択手段とを含み、前記送信チャネル選択手段は、最も早いタイミングでランダムアクセス可能なユーザパケットチャネル及びアクセスタイミングを選択することを特徴とするパケット移動通信システム。
【請求項２】
前記同時送信チャネル数制御手段は、該移動局の使用者が予め使用したい伝送速度に応じてユーザパケットチャネル数を決定することを特徴とする請求項１記載のパケット移動通信システム。
【請求項３】
前記同時送信チャネル数制御手段は、該移動局の電源供給源である電池の残量に応じてユーザパケットチャネル数を決定することを特徴とする請求項１記載のパケット移動通信システム。
【請求項４】
前記同時送信チャネル数制御手段は、前記基地局からの指示に応じてユーザパケットチャネル数を決定することを特徴とする請求項１記載のパケット移動通信システム。
【請求項５】
基地局と移動局とを含み、前記基地局と前記移動局との間に複数のパケットチャネルが設定され前記移動局から前記基地局へランダムアクセスによる信号伝送を行うパケット移動通信システムであって、前記移動局は、同時にランダムアクセスを許容するユーザパケットチャネル数を、該移動局の電源供給源である電池の残量に応じて決定する同時送信チャネル数制御手段を含むことを特徴とするパケット移動通信システム。
【請求項６】
基地局との間に複数のパケットチャネルが設定され前記基地局へランダムアクセスによる信号伝送を行うパケット移動通信システムに用いる移動局であって、同時にランダムアクセスを許容するユーザパケットチャネル数を決定する同時送信チャネル数制御手段と、前記同時送信チャネル数制御手段において決定されたユーザパケットチャネル数の範囲内で信号毎にランダムアクセスを行うユーザパケットチャネル及びアクセス開始タイミングを選択する送信チャネル選択手段とを含み、前記送信チャネル選択手段は、最も早いタイミングでランダムアクセス可能なユーザパケットチャネル及びアクセスタイミングを選択することを特徴とする移動局。
【請求項７】
前記同時送信チャネル数制御手段は、自局の使用者が予め使用したい伝送速度に応じてユーザパケットチャネル数を決定することを特徴とする請求項６記載の移動局。
【請求項８】
前記同時送信チャネル数制御手段は、自局の電源供給源である電池の残量に応じてユーザパケットチャネル数を決定することを特徴とする請求項６記載の移動局。
【請求項９】
前記同時送信チャネル数制御手段は、前記基地局からの指示に応じてユーザパケットチャネル数を決定することを特徴とする請求項６記載の移動局。
【請求項１０】
基地局との間に複数のパケットチャネルが設定され前記基地局へランダムアクセスによる信号伝送を行うパケット移動通信システムに用いる移動局であって、同時にランダムアクセスを許容するユーザパケットチャネル数を、自局の電源供給源である電池の残量に応じて決定する同時送信チャネル数制御手段を含むことを特徴とする移動局。
【発明の詳細な説明】
【０００１】
【発明の属する技術分野】
本発明はパケット移動通信システム、及び、それに用いる移動局に関し、特に
パケット移動通信システムにおける移動局から基地局への信号伝送に関する。
【０００２】
【従来の技術】
現在日本で商用サービスされているＰＤＣ（ｐｅｒｓｏｎａｌ  ｄｉｇｉｔａｌ  ｃｅｌｌｕｌａｒ）パケット方式における上り信号伝送方法がある。ＰＤＣパケット方式では、３チャネルＴＤＭＡ（ｔｉｍｅ  ｄｉｖｉｓｉｏｎ  ｍｕｌｔｉｐｌｅ  ａｃｃｅｓｓ）の各スロット単位で構成されるユーザパケットチャネルに対して、ランダムアクセスにて上り信号伝送を行う。このランダムアクセスでは、下り信号の中に含まれる衝突制御情報に従い、ランダムアクセスを開始するタイミングを決定する。
【０００３】
このＰＤＣパケット方式において、３つのユーザパケットチャネルを構成する各スロット群に対して、同時に並行してランダムアクセスを行うことが可能な移動局（マルチスロット移動局）が実用化されており、上り最大伝送速度が２８．８ｋｂｐｓのパケット通信が可能である。
【０００４】
【発明が解決しようとする課題】
しかしながら、上り最大伝送速度は２８．８ｋｂｐｓに固定されているため、送信電力や発熱量の問題から、小型軽量化や長時間の使用が困難であるという問題がある。この問題の解決策として、ランダムアクセスを、１つのユーザパケットチャネルのみで通信を行うシングルスロット移動局と同等とする方法が考えられる。しかしその場合、上り最大伝送速度が９．６ｋｂｐｓに限定されてしまう点において問題がある。また、通信開始から終了までチャネルを固定するため、選択したチャネルが他の移動局と競合している場合は伝送速度の低下が大きくなるという点でも問題がある。
【０００５】
本発明は上述した従来技術の欠点を解決するためになされたものであり、その目的は移動局から基地局への上り信号伝送において、最大伝送速度を任意に変更することが可能で、かつ、他の移動局との競合した場合の伝送速度の低下を抑えることが可能な、パケット移動通信システム、及び、それに用いる移動局を提供することである。
【０００６】
【課題を解決するための手段】
本発明の請求項１によるパケット移動通信システムは、基地局と移動局とを含み、前記基地局と前記移動局との間に複数のパケットチャネルが設定され前記移動局から前記基地局へランダムアクセスによる信号伝送を行うパケット移動通信システムであって、前記移動局は、同時にランダムアクセスを許容するユーザパケットチャネル数を決定する同時送信チャネル数制御手段と、前記同時送信チャネル数制御手段において決定されたユーザパケットチャネル数の範囲内で信号毎にランダムアクセスを行うユーザパケットチャネル及びアクセス開始タイミングを選択する送信チャネル選択手段とを含み、前記送信チャネル選択手段は、最も早いタイミングでランダムアクセス可能なユーザパケットチャネル及びアクセスタイミングを選択することを特徴とする。
【０００７】
本発明の請求項２によるパケット移動通信システムは、請求項１において、前記同時送信チャネル数制御手段は、該移動局の使用者が予め使用したい伝送速度に応じてユーザパケットチャネル数を決定することを特徴とする。
本発明の請求項３によるパケット移動通信システムは、請求項１において、前記同時送信チャネル数制御手段は、該移動局の電源供給源である電池の残量に応じてユーザパケットチャネル数を決定することを特徴とする。
本発明の請求項４によるパケット移動通信システムは、請求項１において、前記同時送信チャネル数制御手段は、前記基地局からの指示に応じてユーザパケットチャネル数を決定することを特徴とする。
【０００８】
本発明の請求項５によるパケット移動通信システムは、基地局と移動局とを含み、前記基地局と前記移動局との間に複数のパケットチャネルが設定され前記移動局から前記基地局へランダムアクセスによる信号伝送を行うパケット移動通信システムであって、前記移動局は、同時にランダムアクセスを許容するユーザパケットチャネル数を、該移動局の電源供給源である電池の残量に応じて決定する同時送信チャネル数制御手段を含むことを特徴とする。
【０００９】
本発明の請求項６による移動局は、基地局との間に複数のパケットチャネルが設定され前記基地局へランダムアクセスによる信号伝送を行うパケット移動通信システムに用いる移動局であって、同時にランダムアクセスを許容するユーザパケットチャネル数を決定する同時送信チャネル数制御手段と、前記同時送信チャネル数制御手段において決定されたユーザパケットチャネル数の範囲内で信号毎にランダムアクセスを行うユーザパケットチャネル及びアクセス開始タイミングを選択する送信チャネル選択手段とを含み、前記送信チャネル選択手段は、最も早いタイミングでランダムアクセス可能なユーザパケットチャネル及びアクセスタイミングを選択することを特徴とする。
【００１０】
本発明の請求項７による移動局は、請求項６において、前記同時送信チャネル数制御手段は、自局の使用者が予め使用したい伝送速度に応じてユーザパケットチャネル数を決定することを特徴とする。
本発明の請求項８による移動局は、請求項６において、前記同時送信チャネル数制御手段は、自局の電源供給源である電池の残量に応じてユーザパケットチャネル数を決定することを特徴とする。
本発明の請求項９による移動局は、請求項６において、前記同時送信チャネル数制御手段は、前記基地局からの指示に応じてユーザパケットチャネル数を決定することを特徴とする。
【００１１】
本発明の請求項１０による移動局は、基地局との間に複数のパケットチャネルが設定され前記基地局へランダムアクセスによる信号伝送を行うパケット移動通信システムに用いる移動局であって、同時にランダムアクセスを許容するユーザパケットチャネル数を、自局の電源供給源である電池の残量に応じて決定する同時送信チャネル数制御手段を含むことを特徴とする。
【００１２】
要するに、本発明では、同時にランダムアクセスを行うことを許容するユーザパケットチャネル数を制御し、さらに信号毎にランダムアクセスを行うユーザパケットチャネル、更にはアクセス開始タイミングを選択しているのである。こうすることにより、移動局から基地局への上り信号伝送において、最大伝送速度を任意に変更することができ、かつ他の移動局との競合した場合の伝送速度の低下を抑えることができる。
【００１３】
【発明の実施の形態】
次に、図面を参照して本発明の実施の形態について説明する。なお、以下の説明において参照する各図では、他の図と同等部分は同一符号によって示されている。
図１は本発明によるパケット移動通信システムの実施の一形態を示すブロック図である。同図に示されているように、本実施形態によるパケット移動通信システムは、無線ゾーン１０４をカバーする基地局１０２と、この無線ゾーン１０４に在圏しているときに基地局１０２との間で通信を行うことのできる移動局１０１とを含んで構成されている。これら移動局１０１と基地局１０２との間の通信は、ユーザパケットチャネルを構成する無線チャネル１０３によって行われる。なお、移動局１０１と同等な構成を有し、基地局１０２と送受信しうる他の移動局（図示せず）も存在しているものとする。
【００１４】
図２には、図１のパケット移動通信システムにおける移動局１０１の構成例が示されている。図２において、移動局１０１は、送受信信号を構成する信号処理部２０１は、通信可能なユーザパケットチャネル数を決定する同時送信チャネル数制御部２０２は、ランダムアクセスを行うユーザパケットチャネル及びアクセス開始タイミングを信号毎に選択する送信チャネル選択部２０３は、無線チャネル１０５を介して基地局と送受信を行うための変復調部２０４と、アンテナ２００とを含んで構成されている。
【００１５】
同時送信チャネル数制御部２０２では、同時にランダムアクセスを許容する同時送信チャネル数を決定する。同時送信チャネル数が「３」の場合は全チャネル同時にランダムアクセスを許容し、同時送信チャネル数が「２」の場合は２チャネルまで同時にランダムアクセスを許容し、同時送信チャネル数が「１」の場合は１チャネルのみランダムアクセスを許容する。この同時送信チャネル数は、ユーザにより予め決定する方法、自局の電源供給源である電池の残量に応じて決定する方法、基地局からの指示によって決定する方法等が考えられる。
【００１６】
同時送信チャネル数をユーザによって予め決定する場合、使用形態に応じて通信速度や消費電力を決定できるというメリットがある。例えば、通信速度重視の場合は３スロット、通信時間重視の場合は１スロット等と切替えを行うことができる。
同時送信チャネル数を電池の残量に応じて決定する場合、通信時間（待ち受け時間）をできるだけ長くすることができるというメリットがある。例えば、電池残量が少なくなった場合、３スロットから１スロットに変更する等、スロット数を減少することにより、通信時間をできるだけ長くすることができる。
【００１７】
同時送信チャネル数を基地局からの指示によって決定する場合、トラフィックをコントロールできるというメリットがある。例えば、移動機の台数が増えてきた場合は、３スロットから１スロットに変更することで、ランダムアクセスによる衝突を減らすことができる。
送信チャネル選択部２０３では、同時送信チャネル数の範囲内で、最も早いタイミングでランダムアクセス可能なユーザパケットチャネル及びアクセス開始タイミングを選択する。最も早いタイミングで選択することにより、同時アクセス数が限定されていたとしても、その範囲内でパケットチャネルを切り替えることで、競合による通信速度の低下を防ぐことができる。
【００１８】
図３には、図１中の無線チャネル１０３の例が示されている。無線チャネル１０３は、基地局から移動局への信号伝送に使われる下りチャネル３０１と、移動局から基地局への信号伝送に使われる上りチャネル３０２とから構成される。両チャネルとも３チャネルの時分割多重構成となっている。そして、各スロット毎にユーザパケットチャネル（ＣＨ＃０、ＣＨ＃１、ＣＨ＃２）を構成している。なお、３つのユーザパケットチャネル（ＣＨ＃０、ＣＨ＃１、ＣＨ＃２）によって１つのフレームが構成されている。
【００１９】
図４には、図１中の無線チャネル１０３の下りチャネル３０１の各スロット内容の例が示されている。１つのスロットは大きく分けて、ユーザ毎の伝送すべき情報を示すユーザ情報４０１と、ランダムアクセスに必要な情報である衝突制御情報４０２とから構成されている。
衝突制御情報４０２は、次フレームの上りスロットでランダムアクセス可能かどうか示すＩｄｌｅ／Ｂｕｓｙ（送信可能／送信禁止）情報（以下、Ｉ／Ｂ情報と呼ぶ）４０３と、前フレームで信号が正常に受信されたかを示すＲｅｃｅｉｖｅ／Ｎｏｔ  Ｒｅｃｅｉｖｅ情報（以下、Ｒ／Ｎ情報と呼ぶ）４０４と、受信された場合にどの移動局の信号を受信したかを示すＰａｒｔｉａｌ  Ｅｃｈｏ情報（以下、ＰＥ情報と呼ぶ）４０５とから構成されている。
【００２０】
これらのＩ／Ｂ情報４０３、Ｒ／Ｎ情報４０４、ＰＥ情報４０５を参照することにより、各移動局は衝突を回避しつつ基地局と送受信を行うことができる。
図５には、本システムにおけるランダムアクセス制御の例が示されている。同図においては、３つの移動局Ａ、Ｂ、Ｃが上り方向、つまり基地局に対する送信動作をランダムアクセス制御によって行う場合が示されている。同図中の移動局Ａ、Ｂ、Ｃの送信動作を元にランダムアクセス制御について説明する。
【００２１】
同図において、移動局Ａは送信すべき信号の発生後、衝突制御情報４０２−１のＩ／Ｂ情報を参照することにより送信可能であると判断し、次のフレームで先頭ユニットの送信を行う。さらに次フレームの衝突制御情報４０２−２のＰＥ情報を参照することにより先頭ユニットが正常に受信されたことを判断し残りのユニットの送信を行う。
【００２２】
また、移動局Ｂは送信すべき信号の発生後、衝突制御情報４０２−２のＩ／Ｂ情報を参照することにより送信禁止であることを判断し、送信を待機する。衝突制御情報４０２−３のＩ／Ｂ情報を参照した場合にも、同様に、送信禁止であることを判断し、送信を待機する。
このように移動局Ｂは、送信可能となるまで送信を待機する。その後、移動局Ｂは、衝突制御情報４０２−４のＩ／Ｂ情報を参照することにより送信可能であると判断し、先頭ユニットの送信を開始する。
【００２３】
一方、移動局Ｃは送信すべき信号の発生後、移動局Ｂと同じタイミングである衝突制御情報４０２−４のＩ／Ｂ情報を参照することにより送信可能であると判断し、先頭ユニット送信を行う。しかし、次のフレームの衝突制御情報４０２−５のＰＥ情報を参照することにより自局の送信が失敗したと判断し、残ユニットの送信を停止し、再び送信可能となるのを待つ。そして、衝突制御情報４０２−６のＩ／Ｂ情報を参照することにより送信可能であると判断し、先頭ユニットの送信を開始している。
【００２４】
図６〜図８は、本システムの移動局１０１における、同時送信チャネル数制御部２０２及び送信チャネル選択部２０３による、ランダムアクセスを行うユーザパケットチャネル及びアクセス開始タイミングの選択制御動作例を示すタイミングチャートである。
まず、図６（ａ）、（ｂ）及び（ｃ）を参照して、他の競合移動局が存在しない場合に、「ア」から「カ」までの６個の信号（全て４スロット分）を順番に送信する動作例について説明する。ここでは、複数のチャネル対して同時に送信する場合は、信号順序を保証するため、１つ目のチャネルにランダムアクセスを行い、先頭ユニットが受信されたことを次フレームで確認してから、次のチャネルにランダムアクセスを開始する例が示されている。
【００２５】
同図において、下りチャネルの「Ｉ／Ｂ」は衝突制御情報のＩ／Ｂ情報を示しており、本説明に不要なＲ／Ｎ情報及びＰＥ情報については図示が省略されている。なお、同図中のＣＨ＃０，ＣＨ＃１，ＣＨ＃２は、それぞれ、チャネル＃０，チャネル＃１，チャネル＃２を示している。また、Ｆ＃０，Ｆ＃１，Ｆ＃２は、それぞれ、フレーム＃０，フレーム＃１，フレーム＃２を示している。
【００２６】
図６（ａ）は、同時送信チャネル数＝３の場合の動作例であり、全チャネルを用いて同時に送信することができる。この場合の送信は以下のように行われる。
▲１▼信号アについては、Ｆ＃０，ＣＨ＃０で送信を開始する。
▲２▼信号イについては、信号アの先頭ユニット受信確認以降（Ｆ＃１，ＣＨ＃０）、次に下りのＩ／Ｂ情報がＩを示すＦ＃１，ＣＨ＃１で送信を開始する。
【００２７】
▲３▼信号ウについては、信号イの先頭ユニット受信確認以降（Ｆ＃２，ＣＨ＃１）、次に下りのＩ／Ｂ情報がＩを示すＦ＃２，ＣＨ＃２で送信を開始する。
▲４▼信号エについては、信号ウの先頭ユニット受信確認以降（Ｆ＃３，ＣＨ＃２）、次に下りのＩ／Ｂ情報がＩを示すＦ＃４，ＣＨ＃０で送信を開始する。
▲５▼信号オについては、信号エの先頭ユニット受信確認以降（Ｆ＃５，ＣＨ＃０）、次に下りのＩ／Ｂ情報がＩを示すＦ＃５，ＣＨ＃１で送信を開始する。
【００２８】
▲６▼信号カについては、信号オの先頭ユニット受信確認以降（Ｆ＃６，ＣＨ＃１）、次に下りのＩ／Ｂ情報がＩを示すＦ＃６，ＣＨ＃２で送信を開始する。
この図６（ａ）の場合、伝送速度は最大伝送速度となる。この例では、最初の信号アの送信開始をフレーム＃０、チャネル＃０としているが、任意の位置で開始しても同様である。
【００２９】
図６（ｂ）は、同時送信チャネル数＝２の場合の動作例で、２チャネルで同時に送信することが可能である。
▲１▼信号アについては、Ｆ＃０，ＣＨ＃０で送信を開始する。
▲２▼信号イについては、信号アの先頭ユニット受信確認以降（Ｆ＃１，ＣＨ＃０）、次に下りのＩ／Ｂ情報がＩを示すＦ＃１，ＣＨ＃１で送信を開始する。
【００３０】
▲３▼信号ウについては、信号イの先頭ユニット受信確認、かつ信号アの送信完了確認以降（Ｆ＃４，ＣＨ＃０）、次に下りのＩ／Ｂ情報がＩを示すＦ＃４，ＣＨ＃０で送信を開始する。
▲４▼信号エについては、信号ウの先頭ユニット受信確認、かつ信号イの送信完了確認以降（Ｆ＃５，ＣＨ＃１）、次に下りのＩ／Ｂ情報がＩを示すＦ＃５，ＣＨ＃１で送信を開始する。
【００３１】
▲５▼信号オについては、信号エの先頭ユニット受信確認、かつ信号ウの送信完了確認以降（Ｆ＃８，ＣＨ＃０）、次に下りのＩ／Ｂ情報がＩを示すＦ＃８，ＣＨ＃０で送信を開始する。
▲６▼信号カについては、信号オの先頭ユニット受信確認、かつ信号エの送信完了確認以降（Ｆ＃９，ＣＨ＃１）、次に下りのＩ／Ｂ情報がＩを示すＦ＃９，ＣＨ＃１で送信を開始する。
【００３２】
この図６（ｂ）の場合、伝送速度は最大伝送速度の約２／３となる。この例では、最初の信号アの送信開始をフレーム＃０、チャネル＃０としているが、任意の位置で開始しても同様である。チャネル＃１の場合はチャネル＃１と＃２、チャネル＃２の場合はチャネル＃２と＃０を使用して通信を行うことになる。
図６（ｃ）は、同時送信チャネル数＝１の場合の動作例である。１チャネルのみ送信することが可能である。
【００３３】
▲１▼信号アについては、Ｆ＃０，ＣＨ＃０で送信を開始する。
▲２▼信号イについては、信号アの先頭ユニット受信確認、かつ信号アの送信完了確認以降（Ｆ＃４，ＣＨ＃０）、次に下りのＩ／Ｂ情報がＩを示すＦ＃４，ＣＨ＃０で送信を開始する。
▲３▼信号ウについては、信号イの先頭ユニット受信確認、かつ信号イの送信完了確認以降（Ｆ＃８，ＣＨ＃０）、次に下りのＩ／Ｂ情報がＩを示すＦ＃８，ＣＨ＃０で送信を開始する。
【００３４】
▲４▼信号エについては、信号ウの先頭ユニット受信確認、かつ信号ウの送信完了確認以降（Ｆ＃１２，ＣＨ＃０）、次に下りのＩ／Ｂ情報がＩを示すＦ＃１２，ＣＨ＃０で送信を開始する。
▲５▼信号オについては、信号エの先頭ユニット受信確認、かつ信号エの送信完了確認以降（Ｆ＃１６，ＣＨ＃０）、次に下りのＩ／Ｂ情報がＩを示すＦ＃１６，ＣＨ＃０で送信を開始する。
【００３５】
▲６▼信号カについては、信号オの先頭ユニット受信確認、かつ信号オの送信完了確認以降（Ｆ＃２０，ＣＨ＃０）、次に下りのＩ／Ｂ情報がＩを示すＦ＃２０，ＣＨ＃０で送信を開始する。
この図６（ｃ）の場合、伝送速度は最大伝送速度の約１／３となる。この例では、最初の信号アの送信開始をフレーム＃０、チャネル＃０としているが、任意の位置で開始しても同様である。チャネル＃１の場合はチャネル＃１のみ、チャネル＃２の場合はチャネル＃２のみで通信を行うことになる。上記のように、同時送信チャネル数を変更することで、最大伝送速度を任意に変更することが可能になる。
【００３６】
次に、図７（ａ）、（ｂ）及び（ｃ）を参照して、他の競合移動局が存在する場合に、「ア」から「カ」までの６個の信号（全て４スロット分）を送信する例を説明する。同図において、上りチャネルの黒枠は、他の移動局の信号を示している。したがって、この信号と同一タイミングで先頭ユニットの送信を行った場合は、自局は送信失敗となるものとし、直後に再送信を試みるものとする。
【００３７】
図７（ａ）は、同時送信チャネル数＝３の場合の動作例を示す図である。
▲１▼信号アについては、Ｆ＃０，ＣＨ＃０で送信を開始する。
▲２▼信号イについては、信号アの先頭ユニット受信確認以降（Ｆ＃１，ＣＨ＃０）、次に下りのＩ／Ｂ情報がＩを示すＦ＃４，ＣＨ＃０で送信を開始するがＦ＃５，ＣＨ＃０で送信失敗と判断し、その次に下りのＩ／Ｂ情報がＩを示すＦ＃５，ＣＨ＃１で送信を開始する。
【００３８】
▲３▼信号ウについては、信号イの先頭ユニット受信確認以降（Ｆ＃６，ＣＨ＃１）、次に下りのＩ／Ｂ情報がＩを示すＦ＃６，ＣＨ＃２で送信を開始する。
▲４▼信号エについては、信号ウの先頭ユニット受信確認以降（Ｆ＃７，ＣＨ＃２）、次に下りのＩ／Ｂ情報がＩを示すＦ＃８，ＣＨ＃０で送信を開始する。
▲５▼信号オについては、信号エの先頭ユニット受信確認以降（Ｆ＃９，ＣＨ＃０）、次に下りのＩ／Ｂ情報がＩを示すＦ＃９，ＣＨ＃１で送信を開始する。
【００３９】
▲６▼信号カについては、信号オの先頭ユニット受信確認以降（Ｆ＃１０，ＣＨ＃１）、次に下りのＩ／Ｂ情報がＩを示すＦ＃１０，ＣＨ＃２で送信を開始する。
図７（ｂ）は、同時送信チャネル数＝２の場合の動作例を示す図である。
▲１▼信号アについては、Ｆ＃０，ＣＨ＃０で送信を開始する。
▲２▼信号イについては、信号アの先頭ユニット受信確認以降（Ｆ＃１，ＣＨ＃０）、次に下りのＩ／Ｂ情報がＩを示すＦ＃４，ＣＨ＃０で送信を開始するがＦ＃５，ＣＨ＃０で送信失敗と判断し、その次に下りのＩ／Ｂ情報がＩを示すＦ＃５，ＣＨ＃１で送信を開始する。
【００４０】
▲３▼信号ウについては、信号イの先頭ユニット受信確認、かつ信号アの送信完了確認以降（Ｆ＃６，ＣＨ＃１）、次に下りのＩ／Ｂ情報がＩを示すＦ＃６，ＣＨ＃２で送信を開始する。
▲４▼信号エについては、信号ウの先頭ユニット受信確認、かつ信号イの送信完了確認以降（Ｆ＃９，ＣＨ＃１）、次に下りのＩ／Ｂ情報がＩを示すＦ＃９，ＣＨ＃１で送信を開始する。
【００４１】
▲５▼信号オについては、信号エの先頭ユニット受信確認、かつ信号ウの送信完了確認以降（Ｆ＃１０，ＣＨ＃２）、次に下りのＩ／Ｂ情報がＩを示すＦ＃１０，ＣＨ＃２で送信を開始する。
▲６▼信号カについては、信号オの先頭ユニット受信確認、かつ信号エの送信完了確認以降（Ｆ＃１３，ＣＨ＃１）、次に下りのＩ／Ｂ情報がＩを示すＦ＃１３，ＣＨ＃１で送信を開始するがＦ＃１４，ＣＨ＃１で送信失敗と判断し、その次に下りのＩ／Ｂ情報がＩを示すＦ＃１４，ＣＨ＃２で送信を開始する。
【００４２】
図７（ｃ）は、同時送信チャネル数＝２であるが、送信するチャネルはＣＨ＃０、ＣＨ＃１に固定した従来の動作例を示す図である。
▲１▼信号アについては、Ｆ＃０，ＣＨ＃０で送信を開始する。
▲２▼信号イについては、信号アの先頭ユニット受信確認以降（Ｆ＃１，ＣＨ＃０）、ＣＨ＃０又は＃１で次に下りのＩ／Ｂ情報がＩを示すＦ＃４，ＣＨ＃０で送信を開始するがＦ＃５，ＣＨ＃０で送信失敗と判断し、ＣＨ＃０又はＣＨ＃１でその次に下りのＩ／Ｂ情報がＩを示すＦ＃５，ＣＨ＃１で送信を開始する。
【００４３】
▲３▼信号ウについては、信号イの先頭ユニット受信確認以降（Ｆ＃６，ＣＨ＃１）、ＣＨ＃０又はＣＨ＃１で次に下りのＩ／Ｂ情報がＩを示すＦ＃８，ＣＨ＃０で送信を開始する。
▲４▼信号エについては、信号ウの先頭ユニット受信確認以降（Ｆ＃９，ＣＨ＃０）、ＣＨ＃０又はＣＨ＃１で次に下りのＩ／Ｂ情報がＩを示すＦ＃９，ＣＨ＃１で送信を開始する。
【００４４】
▲５▼信号オについては、信号エの先頭ユニット受信確認以降（Ｆ＃１０，ＣＨ＃１）、ＣＨ＃０又はＣＨ＃１で次に下りのＩ／Ｂ情報がＩを示すＦ＃１２，ＣＨ＃０で送信を開始するがＦ＃１３，ＣＨ＃０で送信失敗と判断する。ＣＨ＃０又はＣＨ＃１でその次に下りのＩ／Ｂ情報がＩを示すＦ＃１３，ＣＨ＃１で送信を開始するが、Ｆ＃１４，ＣＨ＃１で送信失敗と判断。ＣＨ＃０又はＣＨ＃１でその次に下りのＩ／Ｂ情報がＩを示すＦ＃１６，ＣＨ＃０で送信を開始する。
【００４５】
▲６▼信号カについては、信号オの先頭ユニット受信確認以降（Ｆ＃１７，ＣＨ＃０）、ＣＨ＃０又はＣＨ＃１で次に下りのＩ／Ｂ情報がＩを示すＦ＃１７，ＣＨ＃１で送信を開始する。
図７（ｂ）の場合と図７（ｃ）の場合とを比較すると、同時送信チャネル数は２で同じであるが、送信チャネルを固定しない図７（ｂ）の場合の方が早く送信が完了し、伝送速度の低下が抑えられていることがわかる。
【００４６】
図８（ａ）は、同時送信チャネル数＝１の場合の動作例を示す図である。
▲１▼信号アについては、Ｆ＃０，ＣＨ＃０で送信を開始する。
▲２▼信号イについては、信号アの先頭ユニット受信確認、かつ信号アの送信完了確認以降（Ｆ＃４，ＣＨ＃０）、次に下りのＩ／Ｂ情報がＩを示すＦ＃４，ＣＨ＃０で送信を開始するがＦ＃５，ＣＨ＃０で送信失敗と判断し、その次に下りのＩ／Ｂ情報がＩを示すＦ＃５，ＣＨ＃１で送信を開始する。
【００４７】
▲３▼信号ウについては、信号イの先頭ユニット受信確認、かつ信号イの送信完了確認以降（Ｆ＃９，ＣＨ＃１）、次に下りのＩ／Ｂ情報がＩを示すＦ＃９，ＣＨ＃１で送信を開始する。
▲４▼信号エについては、信号ウの先頭ユニット受信確認、かつ信号ウの送信完了確認以降（Ｆ＃１３，ＣＨ＃１）、次に下りのＩ／Ｂ情報がＩを示すＦ＃１３，ＣＨ＃１で送信を開始するが、Ｆ＃１４，ＣＨ＃１で送信失敗と判断。次に下りのＩ／Ｂ情報がＩを示すＦ＃１４，ＣＨ＃２で送信を開始する。
【００４８】
▲５▼信号オについては、信号エの先頭ユニット受信確認、かつ信号エの送信完了確認以降（Ｆ＃１８，ＣＨ＃２）、次に下りのＩ／Ｂ情報がＩを示すＦ＃１８，ＣＨ＃２で送信を開始する。
▲６▼信号カについては、信号オの先頭ユニット受信確認、かつ信号オの送信完了確認以降（Ｆ＃２２，ＣＨ＃２）、次に下りのＩ／Ｂ情報がＩを示すＦ＃２２，ＣＨ＃２で送信を開始する。
【００４９】
図８（ｂ）は、同時送信チャネル数＝１であるが、送信するチャネルはＣＨ＃０に固定した従来の動作例を示す図である。
▲１▼信号アについては、Ｆ＃０，ＣＨ＃０で送信を開始する。
▲２▼信号イについては、ＣＨ＃０で次に下りのＩ／Ｂ情報がＩを示すＦ＃４，ＣＨ＃０で送信を開始するがＦ＃５，ＣＨ＃０で送信失敗と判断し、チャネル＃０でその次に下りのＩ／Ｂ情報がＩを示すＦ＃８，ＣＨ＃０で送信を開始する。
【００５０】
▲３▼信号ウについては、ＣＨ＃０で次に下りのＩ／Ｂ情報がＩを示すＦ＃１２，ＣＨ＃０で送信を開始するがＦ＃１３，ＣＨ＃０で送信失敗と判断し、ＣＨ＃０でその次に下りのＩ／Ｂ情報がＩを示すＦ＃１６，ＣＨ＃０で送信を開始する。
▲４▼信号エについては、ＣＨ＃０で次に下りのＩ／Ｂ情報がＩを示すＦ＃２０，ＣＨ＃０で送信を開始する。
【００５１】
▲５▼信号オについては、ＣＨ＃０で次に下りのＩ／Ｂ情報がＩを示すＦ＃２４，ＣＨ＃０で送信を開始する。
▲６▼信号カについては、ＣＨ＃０で次に下りのＩ／Ｂ情報がＩを示すＦ＃２８，ＣＨ＃０で送信を開始する。
図８（ａ）の場合と図８（ｂ）の場合とを比較すると、同時送信チャネル数は１で同じであるが、送信チャネルを固定しない図８（ａ）の場合の方が早く送信が完了し、伝送速度の低下が抑えられていることがわかる。
【００５２】
上記図７（ｂ）の場合及び図８（ａ）の場合においては、送信が他の移動局と競合し送信失敗した場合は、直後に再送信を試みる例が示されているが、再送信を一定時間待機する制御を行った場合でも伝送速度の低下が抑えられるのは明らかである。また、送信が他の移動局と競合した場合は必ず送信失敗となる例が示されているが、送信失敗と送信成功とが混在した場合についても、伝送速度の低下が抑えられるのは明らかである。
【００５３】
請求項の記載に関し、本発明は更に以下の態様を採り得る。
（１）基地局と移動局との間に複数のパケットチャネルが設定され前記移動局から前記基地局へランダムアクセスによる信号伝送を行うパケット移動通信方法であって、前記移動局において、同時にランダムアクセスを許容するユーザパケットチャネル数を決定することを特徴とするパケット移動通信方法。
【００５４】
（２）前記移動局において、該移動局の使用者が予め使用したい伝送速度に応じてユーザパケットチャネル数を決定することを特徴とする（１）のパケット移動通信方法。
（３）前記移動局において、該移動局の電源供給源である電池の残量に応じてユーザパケットチャネル数を決定することを特徴とする（２）のパケット移動通信方法。
【００５５】
（４）前記移動局において、前記基地局からの指示に応じてユーザパケットチャネル数を決定することを特徴とする（３）のパケット移動通信方法。
（５）前記移動局においては、さらに、決定されたユーザパケットチャネル数の範囲内で信号毎にランダムアクセスを行うユーザパケットチャネル及びアクセス開始タイミングを選択することを特徴とする（１）〜（４）のいずれかのパケット移動通信方法。
【００５６】
（６）最も早いタイミングでランダムアクセス可能なユーザパケットチャネル及びアクセスタイミングを選択することを特徴とする（５）のパケット移動通信方法。
【００５７】
【発明の効果】
以上説明したように本発明は、移動局において、同時にランダムアクセスを許容するユーザパケットチャネル数を決定し、決定されたユーザパケットチャネル数の範囲内で信号毎にランダムアクセスを行うユーザパケットチャネル及びアクセス開始タイミングを選択することにより、移動局から基地局への上り信号伝送方法に関して、最大伝送速度を任意に変更することが可能で、かつ他の移動局との競合した場合の伝送速度の低下を抑えることができるという効果がある。
【図面の簡単な説明】
【図１】本発明によるパケット移動通信システムの実施の一形態を示すブロック図である。
【図２】図１中の移動局の構成例を示すブロック図である。
【図３】無線チャネルの構成例を示す図である。
【図４】下り無線チャネルの信号内容の例を示す図である。
【図５】ランダムアクセス制御例を示す図である。
【図６】ランダムアクセスを行うチャネルの選択例を示す図であり、（ａ）は同時チャネル数が３の場合、（ｂ）は同時チャネル数が２の場合、（ｃ）は同時チャネル数が１の場合である。
【図７】他の競合移動局が存在する場合におけるチャネルの選択例を示す図であり、（ａ）は同時チャネル数が３の場合、（ｂ）は同時チャネル数が２の場合、（ｃ）は２つのチャネルに固定した場合である。
【図８】他の競合移動局が存在する場合におけるチャネルの選択例を示す図であり、（ａ）は同時チャネル数が１の場合、（ｂ）は１つのチャネルに固定した場合である。
【符号の説明】
１０１  移動局
１０２  基地局
１０３  無線チャネル
１０４  無線ゾーン
２００  アンテナ
２０１  信号処理部
２０２  同時送信チャネル数制御部
２０３  送信チャネル選択部
２０４  変復調部
【図１】
0003795341.tif 000002
【図２】
0003795341.tif 000003
【図３】
0003795341.tif 000004
【図４】
0003795341.tif 000005
【図５】
0003795341.tif 000006
【図６】
0003795341.tif 000007
【図７】
0003795341.tif 000008
【図８】
0003795341.tif 000009